(57)【要約】【課題】  着用時における外観がすっきりしており、股下部でのフィット性、防漏性及び液戻り性に優れ、このようなフィット性、防漏性及び液戻り性を付与させるに適した吸収性コアを具備する使い捨ておむつを簡便且つ安定的に提供すること。【解決手段】  吸収性本体５は、股下部Ｃにおける両側部５２が起立するようになされており、該吸収性本体５の両側に防漏カフ６が形成されている。該吸収性本体５の形成部材である吸収性コア４は、中央吸収体４１と、該中央吸収体４１の中央両側部に設けられた一対のサイド吸収体４２，４２とを具備し、一対の該サイド吸収体４２，４２それぞれの前側部の前方及び後側部の後方には、それぞれ括れ切欠き部４３ｆ，４３ｆ’，４３ｒ，４３ｒ’が設けられており、前記サイド吸収体４２，４２は、少なくとも股下部Ｃに配される。【選択図】  図２
2006141767.tif 000002
【特許請求の範囲】
【請求項１】
表面シートと吸収性コアとを有する吸収性本体を具備する使い捨ておむつにおいて、
前記吸収性本体は、股下部における両側部が起立するようになされており、
前記吸収性本体の両側に、該吸収性本体に接合された防漏カフ形成用シート及び該防漏カフ形成用シートに固定された弾性部材を備えた、防漏カフが形成されており、
前記吸収性コアは、中央吸収体と、該中央吸収体の中央両側部に設けられた一対のサイド吸収体とを具備し、一対の該サイド吸収体それぞれの前側部の前方及び後側部の後方には、それぞれ括れ切欠き部が設けられており、前記サイド吸収体は、少なくとも股下部に配される使い捨ておむつ。
【請求項２】
前記中央吸収体は、上部吸収体と下部吸収体とからなり、該上部吸収体は、該下部吸収体の前方部又は後方部及び中央部に亘りそれらの肌当接面側に重ね合わされており、一対の前記サイド吸収体は、該下部吸収体と一体的に設けられている請求項１記載の使い捨ておむつ。
【請求項３】
前記中央吸収体は、上部吸収体と下部吸収体とからなり、該上部吸収体は、該下部吸収体の前方部又は後方部及び中央部に亘りそれらの肌当接面側に重ね合わされており、一対の前記サイド吸収体は、該上部吸収体と一体的に設けられている請求項１記載の使い捨ておむつ。
【請求項４】
前記吸収性コアは、前記上部吸収体と前記下部吸収体との重ね合わせ部がおむつの腹側部に位置するように配されている請求項２又は３記載の使い捨ておむつ。
【請求項５】
前記中央吸収体は、長さ３００〜５００mm、幅８０〜１７０mmであり、前記サイド吸収体は、長さ５０〜２５０mmであり、前記括れ切欠き部は、何れも略直角三角形状で、該括れ切欠き部それぞれの開放辺は、長さ３０〜１２０mmである請求項１〜４の何れかに記載の使い捨ておむつ。
【請求項６】
前記中央吸収体の中央部は前記サイド吸収体が設けられた部分で、その幅は、４０〜１００mmであり、一対の前記サイド吸収体の幅は、それぞれ全長に亘って２０〜５０mmであり、一対の該サイド吸収体それぞれの前側部の前方及び後側部の後方における一対の前記括れ切欠き部間の最短幅は、４０〜１２０mmである請求項５記載の使い捨ておむつ。
【請求項７】
前記吸収性コアの両側縁部の全体に亘って、前記吸収性本体の側部立ち上げ用の弾性部材が配されている請求項１〜６の何れかに記載の使い捨ておむつ。
【請求項８】
前記表面シートは、前記吸収性コアの肌当接面側の全域及び該吸収性コアの幅方向両側縁部の全域を被覆し、且つ該吸収性コアの非肌当接面側の幅方向両側部近傍を被覆し、該表面シートの両側端部において前記防漏カフ形成用シートに接合固定されている請求項１〜７の何れかに記載の使い捨ておむつ。
【請求項９】
前記吸収性本体の非肌当接面側に外装体を具備し、該外装体の肌当接面側に、液不透過性の裏面シートが接合され、該裏面シートの肌当接面側に、前記防漏カフ形成用シート及び前記吸収性本体が順次接合されており、
前記吸収性本体は、その非肌当接面側のおむつ幅方向の中央部に、前記吸収性コアが前記表面シートで被覆されていない非被覆部を有しており、
前記防漏カフ形成用シートは、前記非被覆部に対応する部分に配されていない請求項８記載の使い捨ておむつ。
【請求項１０】
前記吸収性本体は、前記吸収性コアの非肌当接面側の全域を被覆する液不透過性の裏面シートを有し、該裏面シートは、該吸収性コアと該吸収性コアの非肌当接面側の幅方向両側部近傍を被覆する前記表面シートとの間に挟持固定されている請求項８記載の使い捨ておむつ。
【発明の詳細な説明】
【技術分野】
【０００１】
本発明は、着用時における外観がすっきりしており、防漏性能に優れた使い捨ておむつに関する。
【背景技術】
【０００２】
尿などの排泄物の横漏れ防止を図った使い捨ておむつ等の吸収性物品としては、例えば、吸収性コアを積層構造とし、そのうちの少なくとも一層を幅広く形成して他の層の左右側縁から延出させ、それらの延出部分を起立性向を有するフラップとした体液吸収性物品（特許文献１参照）や、ナプキン本体の長辺部に、適宜の間隔で複数の切込部を形成することにより、該長辺部の中間部に変形容易な変形部を形成した生理用ナプキン（特許文献２参照）などがある。
【０００３】
しかし、特許文献１及び２に開示されている吸収性物品は、着用状態において股下部のだぶつきが大きく、もこもことした外観を呈する。このような吸収性物品を着用すると、足を動かしにくく、着用者の動きによっておむつの位置ずれを起こしやすいため、漏れが生じやすい。また、股下部がだぶつくと、おむつの上にさらにズボンなどの上着を着用することが困難となり、なんとか上着を着用できても、その外観は良好とは言い難い。
【０００４】
股下部のたぶつきを解消し、股下部でのフィット性を高めるためには、股下部における吸収体の幅を狭めることが有効であることは知られている。しかし、股下部の幅が狭くなっている吸収体は、実質的に股下部での吸収体の幅が狭いために吸収力が低く、吸収体の存在しない部分では尿などの排泄物を吸収しないため、股下部での漏れが生じやすい。また、上記股下部における漏れを防止するために、股下部の吸収ポリマーの量を多くすることが考えられるが、斯かる構成では、装着直後における外観及びフィット性は良好ではあるが、尿を吸収した後の股下の外観は、多量のポリマーの膨潤により、過度に膨らみ（モコモコし）、良好なものとは言えなくなってしまうのが現状である。
【０００５】
そこで、股下部でのフィット性と防漏性との両立を図った技術が種々提案されている。例えば、吸収体を、股下部において巾が狭くなされた第１の吸収体と、この巾が狭くなった部位の両側で第１の吸収体から離れた位置に設けられた一対の第２の吸収体との３つに分割し、第１の吸収体と一対の第２の吸収体とを親水性シートで連結した使い捨ておむつが提案されている（特許文献３参照）。
【０００６】
また、股下部で３つに分割させた吸収体のうち、おむつの幅方向両側に位置する吸収体をそれぞれ起立させるようにしたおむつも提案されている。例えば、吸収体が、股下部において幅が狭くなされた第一吸収体と、この幅が狭くなった部位の両側で第一吸収体から離れた位置に設けられた一対の第二吸収体とを有し、さらに第二吸収体の第一吸収体とは反対側の長手方向両側部に立体ギャザーが配設されており、この立体ギャザーと共に第二吸収体が最外層シートより離間して第一吸収体側部に起立する使い捨ておむつが提案されている（特許文献４参照）。また、おむつの長手方向に沿って中央部に平坦に位置する第１の吸収体と、該第１の吸収体の両側に該第１の吸収体と少なくとも一部において間隔を設けて配置された第２の吸収体とを備え、該第２の吸収体の上部に弾性体が取り付けられて、該第２の吸収体に起立性向とギャザーとが付与されている使い捨ておむつが提案されている（特許文献５参照）。
【特許文献１】実開平６−７５４４５号公報
【特許文献２】実開昭６１−１７１９１９号公報
【特許文献３】特公平７−２８８９２号公報
【特許文献４】特開平１０−５２７４号公報
【特許文献５】特許第２８８４３５５号明細書
【発明の開示】
【発明が解決しようとする課題】
【０００７】
特許文献３〜５に開示されているような、股下部で３分割された吸収体を具備する吸収性物品は、特許文献１及び２に開示されている吸収性物品に比して、股下部でのフィット性に優れるものの、股下部に吸収体が存在しない領域があるため、防漏性能及び液戻り性能に不安があり、且つ股下部において３分割された吸収体を高速で製造することはとても高度な技術を要するものである。
【０００８】
従って、本発明の目的は、着用時における外観がすっきりしており、股下部でのフィット性、防漏性及び液戻り性に優れ、このようなフィット性、防漏性及び液戻り性を付与させるに適した吸収性コアを具備する使い捨ておむつを簡便且つ安定的に提供することにある。
【課題を解決するための手段】
【０００９】
本発明は、表面シートと吸収性コアとを有する吸収性本体を具備する使い捨ておむつにおいて、前記吸収性本体は、股下部における両側部が起立するようになされており、前記吸収性本体の両側に、該吸収性本体に接合された防漏カフ形成用シート及び該防漏カフ形成用シートに固定された弾性部材を備えた、防漏カフが形成されており、前記吸収性コアは、中央吸収体と、該中央吸収体の中央両側部に設けられた一対のサイド吸収体とを具備し、一対の該サイド吸収体それぞれの前側部の前方及び後側部の後方には、それぞれ括れ切欠き部が設けられており、前記サイド吸収体は、少なくとも股下部に配される使い捨ておむつを提供することにより前記目的を達成したものである。
【発明の効果】
【００１０】
本発明の使い捨ておむつは、特に、吸収性コアの形態に特徴を有するため、着用状態で股下部がだぶつかず、おむつの外観がすっきりしていて、股下部でのフィット性、防漏性及び液戻り性に優れ、且つ製造時における加工適性に優れている。
【発明を実施するための最良の形態】
【００１１】
以下に、本発明について、その好ましい一実施形態に基づき図面を参照しながら説明する。
第１実施形態の使い捨ておむつ１（以下、おむつ１という）は、いわゆるパンツ型のおむつであり、図１及び図２に示すように、液透過性の表面シート２と液保持性の吸収性コア４とを有する吸収性本体５を具備し、更に、該吸収性本体５の非肌当接面側に外装体１０を具備する。このおむつ１は、着用時に着用者の腹側に配される腹側部Ａと、着用者の背側に配される背側部Ｂと、その間に位置する股下部Ｃとに区分される。腹側部Ａ、背側部Ｂ及び股下部Ｃは、展開且つ伸張状態（各部の弾性部材を伸張させ平面状に拡げた状態、図２に示す状態）のおむつにおいて、その長手方向（図２の上下方向）の全長を略３等分するように３領域に区分したときの各領域である。
【００１２】
尚、本明細書において、「非肌当接面側」とは、吸収性本体などの各部材の表裏両側（面）のうち、着用時に着用者の肌側とは反対側に配される側（面）である。また、以下、「肌当接面側」という語句を使用することがあるが、これは、各部材の表裏両側（面）のうち、着用時に着用者の肌側に配される側（面）である。
「長手方向」とは、各部材の長辺と平行な方向である。また、以下、「幅方向」という語句を使用することがあるが、これは、該長手方向と直交する方向である。
【００１３】
前記吸収性本体５は縦長矩形形状をなし、その長手方向を、おむつの長手方向に一致させて、腹側部Ａから背側部Ｂに亘るように、ホットメルト型接着剤等の公知の接合手段により前記外装体１０の幅方向中央部に接合されている。外装体１０は、腹側部Ａに位置する部分の両側縁部と背側部Ｂに位置する部分の両側縁部とが、ヒートシール、高周波シール、超音波シール等の公知の接合手段により互いに接合されており、これにより一対のサイドシール部が形成されている。また、その接合によって、おむつ１に、ウエスト開口部７及び一対のレッグ開口部８，８が形成されている。
第１実施形態のおむつ１の上述の構成は、従来公知のおむつと同様である。
【００１４】
第１実施形態のおむつ１においては、図２に示すように、前記吸収性コア４の長手方向の両側縁部の全長に亘って、前記吸収性本体５の側部（具体的には、後述するサイド吸収体４２）立ち上げ用の弾性部材９が配されており、これにより、前記吸収性本体５は、図５に示すように、股下部Ｃにおける両側部５２，５２（サイド吸収体４２，４２）が起立するようになされている。また、前記吸収性コア４の長手方向の両側縁部は、股下部Ｃにおける両側部５２と略直線状に形成されることが好ましい。
【００１５】
前記吸収性本体５の両側には、防漏カフ６，６が形成されている。該防漏カフ６は、該吸収性本体５に接合された防漏カフ形成用シート６０及び該防漏カフ形成用シートに伸長状態で固定された弾性部材６１を備えている。
【００１６】
以下に、第１実施形態のおむつ１における吸収性コア４について詳述する。吸収性コア４は、図１〜図３、特に図３に示すように、全体として、おむつの長手方向に沿って縦長の矩形状の平面視形状をなしており、その全体が、ティッシュペーパーや透水性の不織布からなる透水性の被覆シート（図示せず）で被覆されている。
【００１７】
前記吸収性コア４は、砂時計型の中央吸収体４１と、該中央吸収体４１の中央両側部に対称的に設けられた好ましくは矩形形状の一対のサイド吸収体４２，４２とを具備し、一対の該サイド吸収体４２，４２それぞれの前側部の前方には、それぞれ括れ切欠き部４３ｆ，４３ｆ’が、また、後側部の後方には、それぞれ括れ切欠き部４３ｒ，４３ｒ’が設けられている。何れの括れ切欠き部も相似形状であり、好ましくは同一形状で、大きさもほぼ同じである。
【００１８】
第１実施形態においては、前記中央吸収体４１は、略砂時計型の上部吸収体４１１と、該上部吸収体４１１より大きい下部吸収体４１２とからなり、該上部吸収体４１１は、該下部吸収体４１２の前方部Ｆ及び中央部Ｍに亘りそれらの肌当接面側に重ね合わされている。一対の前記サイド吸収体４２，４２は、該下部吸収体４１２と一体的に設けられている。上部吸収体４１１と下部吸収体４１２とがこのように重ね合わされた状態において、該下部吸収体４１２における、該上部吸収体４１１の縁からはみ出した部分の長さｄは、好ましくは０〜２０mm、更に好ましくは５〜１５mmである。下部吸収体４１２と上部吸収体４１１とを排尿ポイント近傍でこのように重ね合わされた状態で配置することにより、おむつ全体の厚みをそれほど増すことがなく、排尿ポイント近傍の吸水ポリマー及びパルプの実質量を高めることができ、吸水ポリマー及びパルプの利用効率を高めることが可能となり、良好な漏れ防止性能を実現することができる。
【００１９】
前記吸収性コア４は、図２に示すように、前記サイド吸収体４２，４２が少なくとも前記股下部Ｃに配されるように、おむつ１に配される。第１実施形態においては、吸収性コア４は、サイド吸収体４２，４２が股下部Ｃに配されると共に、前記上部吸収体４１１と前記下部吸収体４１２との重ね合わせ部（前記中央吸収体４１の前方部Ｆ）がおむつの腹側部Ａに位置するように配されている。尚、前方部Ｆ、中央部Ｍ、後方部Ｒは、図３に示す状態の吸収性コア４において、その長手方向の全長を略３等分するように３領域に区分したときの各領域である。
【００２０】
前記上部吸収体４１１のポリマー坪量は、好ましくは８０〜２３０ｇ／ｍ2、更に好ましくは１００〜２００ｇ／ｍ2であり、パルプ坪量は、好ましくは８０〜２３０ｇ／ｍ2、更に好ましくは１００〜２００ｇ／ｍ2である。前記下部吸収体４１２のポリマー坪量及びパルプ坪量についても、それぞれ上部吸収体４１１と同様であることが好ましい。各吸収体４１１，４１２のポリマー坪量及びパルプ坪量がそれぞれ上記の下限未満では、防漏性能に問題が生じる、加工性能的に安定した状態で成形できない等のおそれがある。逆に、各吸収体４１１，４１２のポリマー坪量及びパルプ坪量がそれぞれ上記の上限超では、装着時におけるフィット性に問題が生じる、排尿後の股下において過度に吸収体が膨潤しモコモコする、装着者に違和感を与える等のおそれがある。
【００２１】
前記上部吸収体４１１及び前記下部吸収体４１２の何れにおいても、ポリマーとパルプの重量比率は、パルプとポリマーの混合状態を考慮すると、４：６〜６：４であることが好ましい。
また、液吸収後の股下部の外観（ポリマーの膨潤によるモコモコ感の防止）を考慮すると、前記上部吸収体４１１のポリマー坪量と前記下部吸収体４１２のポリマー坪量との合計値は、１６０〜４００ｇ／ｍ2であることが好ましい。
【００２２】
前記中央吸収体４１の長さ（全長）Ｌ１は、好ましくは３００〜５００mm、更に好ましくは３５０〜４５０mmである。また、中央吸収体４１の幅Ｗ１〔中央吸収体４１における幅が最大となる部分の幅（最大幅）〕は、好ましくは８０〜１７０mm、更に好ましくは１００〜１５０mmである。第１実施形態においては、中央吸収体４１の前方部Ｆ、中央部Ｍ及び後方部Ｒそれぞれにおける最大幅が同じであり、これら各部に、ここでいう幅Ｗ１が存在している。
【００２３】
前記サイド吸収体４２の長さ（全長）Ｌ２は、好ましくは５０〜２５０mm、更に好ましくは１００〜２００mmである。この長さＬ２が５０mm未満では、股下部における漏れ防止性能が低下するおそれがあり、２５０mm超では、着用時における外観、特に股下のすっきり感が損なわれるおそれがある。
【００２４】
前記括れ切欠き部４３ｆ，４３ｆ’，４３ｒ，４３ｒ’は、何れも略直角三角形状をなしている。各括れ切欠き部それぞれの開放辺の長さＬ３は、好ましくは２０〜５０mm、更に好ましくは２５〜４５mmである。この長さＬ３が２０mm未満では、吸収性本体５の側部（サイド吸収体４２）の起立が困難になる、着用時における外観、特に股下のすっきり感が損なわれるなどのおそれがあり、５０mm超では、中央吸収体の幅が狭くなるため、吸収性能が低下し股下漏れ、腹漏れ等が起こるおそれがある。
【００２５】
前記中央吸収体４１の中央部Ｍは、前記サイド吸収体４２，４２が設けられた部分で、該中央部Ｍの幅Ｗ２〔一対のサイド吸収体４２，４２それぞれのおむつ幅方向最内側部間の距離（図３中の仮想線ａと仮想線ｂとの間の距離）〕は、好ましくは４０〜１００mm、更に好ましくは５０〜９０mmである。中央吸収体４１の中央部Ｍは、股下部Ｃに配される領域であり、この中央部Ｍの幅Ｗ２が４０mm未満では、特に股下部において漏れが生じやすくなる、中央吸収体の製造時における加工性が悪くなる等のおそれがあり、１００mm超では、着用時における外観の悪化、股下部でのフィット性の低下等のおそれがある。尚、前記仮想線ａは、前記括れ切欠き部４３ｆにおけるおむつ幅方向最内点と、前記括れ欠き部４３ｒにおけるおむつ幅方向最内点とを結ぶ線であり、前記仮想線ｂは、前記括れ切欠き部４３ｆ’におけるおむつ幅方向最内点と、前記括れ欠き部４３ｒ’におけるおむつ幅方向最内点とを結ぶ線である。また、「仮想線ａと仮想線ｂとの間の距離」は、各仮想線の中点同士間の距離を測定したものである。
【００２６】
また、一対の前記サイド吸収体４２，４２それぞれの前側部の前方における一対の前記括れ切欠き部４３ｆ，４３ｆ’間、及び後側部の後方における一対の前記括れ切欠き部４３ｒ，４３ｒ’間の最短幅Ｗ３（該前方又は該後方における一対の該括れ切欠き部それぞれのおむつ幅方向最内点間の距離）は、それぞれ、好ましくは４０〜１２０mm、更に好ましくは５０〜１１０mmである。尚、第１実施形態においては、この最短幅Ｗ３と、前記中央吸収体４１の中央部Ｍの前記幅Ｗ２とは、略同寸法となっており、いずれも中央吸収体４１における幅方向最短部の長さに等しい。
【００２７】
また、一対の前記サイド吸収体４２，４２の幅Ｗ４（前記仮想線ａ又はｂと、サイド吸収体４２のおむつ幅方向最外側部との間の距離）は、それぞれ該サイド吸収体４２の全長に亘って、好ましくは２０〜５０mm、更に好ましくは２５〜４５mmである。この幅Ｗ４が２０mm未満では、着用時における外観、特に股下のすっきり感が損なわれる、サイド吸収体としての機能が充分に発揮できない等のおそれがあり、５０mm超では、サイド吸収体４２，４２が起立し、着用者の鼠けい部に入り込む際に違和感を与える等の弊害が生じるおそれがある。
【００２８】
前記吸収性コア４の中央部Ｍ（股下部Ｃに配される部分）の幅（Ｗ２＋Ｗ４×２）は、前記最短幅Ｗ３より大きく、且つ該吸収性コア４の前方部Ｆ又は後方部Ｒにおける最大幅と同じか、又は該最大幅より小さいことが、股下部における吸収性能、及び外観（すっきり感）を考慮すると好ましい。
【００２９】
第１実施形態のおむつ１は、図３に示す吸収性コア４を用いたパンツ型の使い捨ておむつであり、該おむつ１における上述した吸収性コア４以外の各構成は、以下に詳述する通りである。
【００３０】
第１実施形態のおむつ１においては、図４及び図５に示すように、前記表面シート２は、前記吸収性コア４の肌当接面４ａ側の全域及び該吸収性コア４の幅方向両側縁部４ｂ，４ｂの全域を被覆し、且つ該吸収性コア４の非肌当接面４ｃ側の幅方向両側部近傍を被覆し、該表面シート２の両側端部２１，２１において防漏カフ形成用シート６０にホットメルト型接着剤等の接合手段により接合固定されて、接合固定部６７，６７を形成している。接合固定部６７の形状は、特に限定されず、例えば、前記吸収性本体５の長手方向に沿って連続した直線状、所々に間欠部を有する不連続な直線状、あるいは連続又は不連続な曲線状などが挙げられる。
【００３１】
また、第１実施形態のおむつ１においては、図４及び図５に示すように、前記外装体１０の肌当接面側に、液不透過性の裏面シート３が接合され、該裏面シート３の肌当接面側に、前記防漏カフ形成用シート６０及び前記吸収性本体５が順次接合されている。これら各部材の接合には、ホットメルト型接着剤等の接合手段が利用できる。該裏面シート３は、吸収性本体５とほぼ同寸法の縦長矩形形状をなし、吸収性本体５と同位置（外装体１０の幅方向の中央部）に、その長手方向を、おむつ長手方向に一致させて配されている。
【００３２】
そして、前記吸収性本体５は、図４及び図５に示すように、その非肌当接面側のおむつ幅方向の中央部に、該吸収性本体５の長手方向全体に亘って、前記吸収性コア４が前記表面シート２で被覆されていない非被覆部５１を有しており、前記防漏カフ形成用シート６０は、該非被覆部５１に対応する部分に配されていない。
【００３３】
前記外装体１０について説明すると、該外装体１０は、図２、図４及び図５に示すように、２枚のシート１１，１２と、これら２枚のシート間に固定された各部の弾性部材とからなる。２枚の該シート１１，１２間には、前記ウエスト開口部７の周縁部にウエストギャザーを形成するウエスト部弾性部材７１，前記レッグ開口部８の周縁部にレッグギャザーを形成するレッグ部弾性部材８１，及び該ウエスト開口部７の周縁端から下方に２０ｍｍ離間した位置から該レッグ開口部８の上端までの領域である胴回り部Ｄに左右に分割された状態の胴回りギャザーを形成する胴回り弾性部材９１が、それぞれ伸張状態で、ホットメルト型接着剤等の接合手段により接合固定されている。
【００３４】
前記シート１１及びシート１２は、何れも通気性の不織布から構成されている。これら２枚のシートのうち、非肌当接面側に位置するシート１１は、その長手方向において、肌当接面側に位置するシート１２の前後端縁（長手方向の両端縁）よりそれぞれ延出した延出部を有し、これらの延出部はそれぞれ、前記外装体１０のシート１２上に前記吸収性本体５が配置された後、該吸収性本体５の前後端（長手方向の両端）を覆うように該吸収性本体５側に折り返されて接着されている。
【００３５】
また、前記防漏カフ６について説明すると、該防漏カフ６は、図２、図４及び図５に示すように、前記吸収性本体５の長手方向の両側それぞれに、おむつ長手方向へ延びるように形成されており、前記防漏カフ形成用シート６０及び複数本の前記弾性部材６１を備える。第１実施形態のおむつ１においては、該防漏カフ形成用シート６０として、所定幅の帯状の撥水性シート一枚を、その長手方向に沿う折り曲げ線で二つ折りして、相対向する層間をホットメルト型接着剤又は部分的な熱又は超音波シール等で接合した２層構造のシートを用いている。複数本の該弾性部材６１は、この２層構造シートの層間に伸張状態で固定されている。
【００３６】
前記防漏カフ形成用シート６０は、腹側部Ａ及び背側部Ｂそれぞれにおいて、より具体的には、前記吸収性本体５の長手方向の両端部それぞれにおいて、該吸収性本体５を、肌当接面側から非肌当接面側に亘って覆っており、該吸収性本体５の長手方向の両端部それぞれにおいて、該吸収性本体５の肌当接面側にヒートシール、高周波シール、超音波シール、ホットメルト型接着剤等の公知の接合手段により接合されている（図４参照）。
【００３７】
前記防漏カフ６は、図５に示すように、少なくとも股下部Ｃにおいて起立可能である。該防漏カフ６の自由端には、複数本の前記弾性部材６１が前記吸収性本体５の幅方向に並べた状態で固定されている。斯かる構成により、起立した防漏カフ６の先端部分が着用者の肌に面接触するようになり、その結果、おむつの体への密着性が高まって防漏性が向上すると共に、おむつを肌にやさしく接触させることが可能となる。
【００３８】
第１実施形態のおむつ１の各部を構成する材料としては、当該技術分野において通常用いられているものを特に制限無く用いることができる。
例えば、表面シート２としては、親水性且つ液透過性の不織布や、開孔フィルムを用いることができる。裏面シート３としては、液不透過性の材料や撥水性の材料を用いることができる。液不透過性の材料としては、樹脂フィルムや、樹脂フィルムと不織布等とのラミネート材等を用いることができ、撥水性の材料としては、撥水性不織布等を用いることができる。撥水性不織布としては、防漏カフ形成用シートとして後述する不織布を用いることができる。
【００３９】
吸水性コア４としては、パルプ繊維等からなる繊維集合体、又は繊維集合体と吸水性ポリマーとからなるもの（吸水性ポリマーと繊維材料との混合積繊物）等を用いることができる。吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。吸収性コア４を構成する繊維としては、例えば、パルプ繊維、レーヨン繊維、コットン繊維、酢酸セルロース等の親水性繊維、ポリエチレン、ポリプロピレン等のポリオレフィン系繊維、ポリエステル、ポリアミド等の縮合系繊維等を用いることできる。吸水性ポリマー及び繊維は、それぞれ一種又は二種以上を組み合わせて用いることができる。
【００４０】
防漏カフ形成用のシート６０としては、スパンボンド・メルトブローン・スパンボンド等からなる多層構造の複合不織布、スパンボンド不織布、ヒートボンド不織布、エアスルー不織布等を用いることができ、柔軟性、耐水性などの点から、スパンボンドとメルトブローンとからなる多層構造の不織布が好ましく、坪量は１２ｇ／ｍ2程度が好ましい。
【００４１】
防漏カフ形成用シートは、ＪＩＳ  Ｌ１０９２（１９９８年度）繊維製品の防水性試験方法における、耐水度試験（低水圧法）に準じて測定した耐水圧が３ｃｍ以上であることが好ましく、より好ましくは５ｃｍ以上である。耐水圧の測定の際には、水を入れた水準装置を１０±０．５ｃｍ／ｍｉｎの速度で上昇させ、試験片の裏側に３カ所から水がでたことを目視にて観察し、その時点の水位を測定する。尚、試験片の取り付けが完了したら遅滞なく測定する。
【００４２】
防漏カフ形成用の弾性部材６１の形態としては、糸状のもの（糸ゴム等）、所定幅の帯状のもの（平ゴム等）等が好ましく、特に糸状のものが好ましい。弾性部材６１の素材としては、天然ゴム、スチレン−ブタジエン、ブタジエン、イソプレン、ネオプレン等の合成ゴム、ＥＶＡ、伸縮性ポリオレフィン、ウレタン等を挙げることができる。また、弾性部材９，７１，８１，９１の形態としては、糸状のもの及び所定幅の帯状のもの、更には薄膜状のもの等を用いることもできる。それらの素材としては、弾性部材６１の素材として記載したものを用いることができる。
【００４３】
第１実施形態のおむつ１によれば、上述したように、特徴的な形態を有する前記吸収性コア４を用いているので、着用状態で股下部がだぶつかず、おむつの外観がすっきりしていて、股下部でのフィット性及び防漏性に優れている。即ち、このような構成であれば、図５に示すように、股下部Ｃに、前後左右に立ち上がり部を有する吸収性本体５による凹状のポケットが形成されやすく、該ポケット内からの排泄物の漏れ出しが生じにくく、多量の尿が短時間にまとまって排泄されたり、吸収されにくい水状便や軟便等が排泄された場合等においても、該ポケットから排泄物が漏れ出し難い。該ポケットから排泄物が漏れ出した場合であっても、吸収性本体５の両側に防漏カフ６が存在し、吸収性本体５の立ち上がった側部５２と、防漏カフ形成用シート６０との間に排泄物の保持性に優れたポケットＰが形成されるため、その排泄物が、外装体１０の側縁部を超えて漏れ出すことを防止することができる。また、防漏カフ６が着用者の肌に面接触し、吸収性本体５の起立した側部５２が着用者の肌に直接接触しにくくなっているため、着用時に違和感を感じにくくなっている。
【００４４】
また、第１実施形態のおむつ１においては、前記上部吸収体４１１と前記下部吸収体４１２との重ね合わせ部をおむつの腹（前）側に位置させることで、前記吸収性コア４の吸収容量を腹側に偏在させてあるので、特に、腹側からの漏れに対する防止性能に優れており、例えば、幼児用おむつ用途においては、うつ伏せ状態の幼児が使用する際でも、腹側からの漏れを防止することができる。更に、本実施形態の別な利点は、サイド吸収体４２が中央吸収体４１と結合している（分離していない）点にある。サイド吸収体と中央吸収体とが股下にて完全に分離している形態（本発明の範囲外の形態）では、中央吸収体付近で排泄された尿がスムーズにサイド吸収体に拡散されず、漏れを生じるおそれがある。またこの形態では、仮に漏れが生じなかったとしても、中央吸収体とサイド吸収体との間には液を吸収するための手段を有さない領域が存在するため、その領域における液戻りが生じ、装着者に対し不快感を与えるものとなってしまう。これに対し、本実施形態においては、股下において中央吸収体とサイド吸収体とが結合しているため、上記のようなことは起こらない。また、単に中央吸収体とサイド吸収体とが結合している形態（本発明の範囲外の形態）では、一般的にサイド吸収体の起立性が悪くなるが、本実施形態においては、サイド吸収体と中央吸収体の坪量を比較すると、サイド吸収体の坪量＜中央吸収体の坪量の関係になっており、サイド吸収体と中央吸収体の境界線において坪量差が存在し、サイド吸収体の良好な起立性をも達成できる。
【００４５】
また、第１実施形態のおむつ１においては、体前記外装体１０の肌当接面側に、液不透過性の裏面シート３が接合されており、前記サイド吸収体４２の非肌当接面側は液透過性の前記表面シート２で覆われているため、該サイド吸収体４２の非肌当接面側からの液の吸収が可能であり、防漏性に特に優れている。また、裏面シート３に各種模様や製造業者のブランドマークなどの印刷模様が施してある場合には、該裏面シート３が外装体１０に隣接して配置されているので、該印刷模様の外部からの視認性が高まるというメリットもある。
【００４６】
以下に、本発明の第２〜第４実施形態について説明する。尚、以下の各実施形態において説明を省略した箇所については、上述した第１実施形態の説明が適用される。
【００４７】
図６は、本発明の第２実施形態における図５相当図である。この第２実施形態は、前記裏面シート３の配設部位が異なっている点以外は、上述した第１実施形態と同様に構成されている。即ち、第２実施形態では、前記吸収性本体５が、前記吸収性コア４の非肌当接面４ｃ側の全域を被覆する液不透過性の前記裏面シート３を有し、該裏面シート３が、該吸収性コア４と該吸収性コア４の非肌当接面４ｃ側の幅方向両側部近傍を被覆する前記表面シート２との間に挟持固定されている。
【００４８】
図７及び図８は、それぞれ、吸収性コアの他の実施形態の平面図である。
図７に示す吸収性コアは、一対の前記サイド吸収体４２，４２が、前記上部吸収体４１１と一体的に設けられている点以外は、第１実施形態と同様に構成されている。
図８に示す吸収性コア４’は、単層構造の前記中央吸収体に一対の前記サイド吸収体を一体的に設けたものであり、その中央吸収体が、上述した下部吸収体４１２のみから形成されている点以外は、第１実施形態と同様に構成されている。
【００４９】
図９は、本発明の第３実施形態における図５相当図であり、図１０は、本発明の第４実施形態における図５相当図である。第３実施形態は、図８に示す吸収性コア４’を用いている点以外は、上述した第１実施形態と同様に構成されている。また、第４実施形態は、該吸収性コア４’を用いている点以外は、上述した第２実施形態と同様に構成されている。
【００５０】
以上、本発明の第１〜第４実施形態について説明したが、本発明は、上述した実施形態に制限されず、本発明の趣旨を逸脱しない範囲で種々変更が可能である。
例えば、上述した第１実施形態においては、前記中央吸収体４１は、それぞれ独立した部材である前記上部吸収体４１１及び前記下部吸収体４１２から形成され、該上部吸収体４１１と該下部吸収体４１２とは分離可能であったが、本発明に係る中央吸収体は、上部吸収体及び下部吸収体が一体化されて（分離不可能に）形成されていてもよい。この場合の中央吸収体の形状は、該上部吸収体４１１及び該下部吸収体４１２をそれぞれ変形させずに上述したように重ね合わせてなる形状とすることが好ましく、また、該中央吸収体の各部の大きさは、上述の説明の通りとすることが好ましい。尚、該中央吸収体の坪量については、上述した上部吸収体４１１の坪量と下部吸収体４１２の坪量との合計値が好ましい。
【００５１】
また、上述した第１実施形態においては、前記吸収性コア４は、前記上部吸収体４１１と前記下部吸収体４１２との重ね合わせ部が腹側部Ａに位置するように配されていたが、本発明においては、これとは逆に、該重ね合わせ部が背側部Ｂに位置するように配してもよい。
【００５２】
また、上述した第１実施形態においては、前記吸収性本体５の側部立ち上げ用の前記弾性部材９を前記吸収性コア４の両側部の全体に配したが、該弾性部材９の配設部位は特に限定されず、例えば、吸収性コア４とその肌当接面側に位置する表面シート２との間、あるいは吸収性コア４全体を被覆する前記被覆シート（図示せず）の内部等に配することもできる。但し、吸収性本体５の両側部５２，５２を、股下部Ｃにおいて着用者の肌に向かって大きく起立させるようにする観点から、弾性部材９は、吸収性コア４の両側縁部、あるいはその近傍に配することが好ましい。
【００５３】
また、上述した第１実施形態のおむつは、パンツ型の使い捨ておむつであったが、本発明の使い捨ておむつは、おむつ止着用のファスニングテープが設けられた、いわゆる展開型の使い捨ておむつであっても良い。
【図面の簡単な説明】
【００５４】
【図１】本発明の第１実施形態としてのパンツ型おむつの斜視図である。
【図２】図１に示すおむつをサイドシール部で切り離して展開し、各部の弾性部材を伸張させて平面状に拡げた状態を一部破断して示す平面図である。
【図３】図１に示すおむつにおける吸収性コアの平面図である。
【図４】図２のＩ−Ｉ線断面を模式的に示す横断面図である。
【図５】おむつ使用状態における図２のII−II線断面を模式的に示す横断面図である。
【図６】本発明の第２実施形態における図５相当図である。
【図７】本発明に係る吸収性コアの他の実施形態の平面図である。
【図８】本発明に係る吸収性コアの別の実施形態の平面図である。
【図９】図８に示す吸収性コアを用いた本発明の第３実施形態のおむつにおける図５相当図である。
【図１０】図８に示す吸収性コアを用いた本発明の第４実施形態のおむつにおける図５相当図である。
【符号の説明】
【００５５】
１  使い捨ておむつ
２  表面シート
３  裏面シート
４，４’  吸収性コア
４１  中央吸収体
４１１  上部吸収体
４１２  下部吸収体
４２  サイド吸収体
４３  括れ切欠き部
５  吸収性本体
６  防漏カフ
６０  防漏カフ形成用シート
６１  防漏カフ形成用の弾性部材
６７  接合固定部
９  吸収性本体の側部（サイド吸収体）立ち上げ用の弾性部材
１０  外装体
Ａ  腹側部
Ｂ  背側部
Ｃ  股下部
Ｆ  前方部
Ｍ  中央部
Ｒ  後方部
【図１】
2006141767.tif 000003
【図２】
2006141767.tif 000004
【図３】
2006141767.tif 000005
【図４】
2006141767.tif 000006
【図５】
2006141767.tif 000007
【図６】
2006141767.tif 000008
【図７】
2006141767.tif 000009
【図８】
2006141767.tif 000010
【図９】
2006141767.tif 000011
【図１０】
2006141767.tif 000012